(57)【要約】【課題】冷凍商品等の温度管理を必要とする物品を収容したコンテナを容易に包み込むことができ、また取り出すことのできる断熱性カバーＰを得る。また、その断熱性カバーＰを有効に用いた物品の保管方法と配送車による配送方法を得る。【解決手段】断熱性カバーＰは断熱シートで作られている。底面１０の後縁に背面１１が一体に繋がっており、底面１０と背面１１の左右の側縁に左右の側壁面１２，１３が一体に繋がっている。背面１１の上縁には第１の上面１４が一体に繋がっており、底面１０の前縁には前面１５が一体に繋がっている。さらに、左右の側壁面１２，１３の上縁には第２の上面１６，１７がそれぞれ一体に繋がっている。開いた状態では、上面側と前面側が大きく開放状態となり、その状態で断熱性カバーＰは自立している。この断熱性カバーＰを用いて、配送車が店舗に配送してくる温度管理を必要とする物品を収容したコンテナを包み込み、店舗に仮保管する。その状態で、配送車は次の店舗に移動する。【選択図】図１
2007210618.tif 000002
【特許請求の範囲】
【請求項１】
物品を収容するための断熱性カバーであって、底面の後縁には背面が一体に繋がっており、底面と背面の左右の側縁には左右の側壁面が一体に繋がっており、背面の上縁には第１の上面が一体に繋がっており、底面の前縁には前面が一体に繋がっており、さらに、左右の側壁面の上縁には第２の上面がそれぞれ一体に繋がっており、上面側と前面側が開放自在なことを特徴とする断熱性カバー。
【請求項２】
背面と左右の側壁面には折り畳み代が形成されており、該折り畳み代を利用して背面と左右の側壁面を底面の上に折り畳むことができ、さらにその上に、前面、第１の上面および第２の上面を重畳できるようになっていることを特徴とする請求項１に記載の断熱性カバー。
【請求項３】
前記折り畳み代を利用して側壁面の前面側が外側に開きやすくなっていることを特徴とする請求項２に記載の断熱性カバー。
【請求項４】
左右の側壁面と前面とは離脱自在接合テープを介して一体化できるようになっており、前面と第１の上面も離脱自在接合テープを介して一体化できるようになっており、第１の上面と第２の上面も離脱自在接合テープを介して一体化できるようになっていることを特徴とする請求項１ないし３のいずれかに記載の断熱性カバー。
【請求項５】
請求項１ないし４のいずれかに記載の断熱性カバーによって、物品を収容したコンテナを包み込むことを特徴とする物品の保管方法。
【請求項６】
物品を収容したコンテナを配送車により店舗に配送し、店舗において配送車からコンテナを取り出し、取り出したコンテナを請求項１ないし４のいずれかに記載の断熱性カバーで包み込んだ後、次の店舗に向けて配送車を移動することを特徴とする物品の配送方法。
【発明の詳細な説明】
【技術分野】
【０００１】
本発明は、断熱性カバーとそれを用いた物品の保管方法および配送方法に関し、特に、物流センター等から温度管理を必要とする物品を収容したコンテナを配送車等を用いて複数の店舗に配送するときなどにおいて、店舗で用いるのに好適な断熱性カバーとそれを用いた物品の保管方法および配送方法に関する。
【背景技術】
【０００２】
冷凍食品を含む種々の冷凍商品を物流センターからコンビニエンスストア等の多数の店舗へ、冷凍車を用いて小口配送することが行われる。物流センターにおいて、複数の種類の冷凍商品から各店舗ごとに配送すべき冷凍商品が選択され、各店舗ごとに、例えば特許文献１に記載されるような折り畳み可能な非発泡樹脂で作られたコンテナに入れられる。一定配送区域内にある複数の店舗ごとにコンテナはグルーピングされ、グルーピングされた複数のコンテナが冷凍車に積み込まれる。冷凍車の運転手は冷凍車を当該配送区域まで運転していき、冷凍商品を配送すべき店舗に到着すると、冷凍車の扉を開いて当該店舗用のコンテナを取り出す。
【０００３】
冷凍商品を収容するコンテナは、特別な断熱手段を備えない単なる非発泡樹脂製コンテナが殆どであり、長い時間、店舗の店頭にそのままで放置しておくと、冷凍商品に解凍が生じるので、店舗到着時に、運転者は車からコンテナを取り出す作業と、取り出したコンテナから冷凍商品を取り出して店舗に備えられた陳列用冷凍庫に移し変える作業の双方を行っているのが、現状である。そのために、冷凍車の運転者が１店舗当たりで必要とする時間は長くなっており、所定時間内で一台の冷凍車が配送に回れる店舗数には限りがあった。
【０００４】
特許文献２にはそのような不都合を解消することができる配送方法として、真空断熱材を用いて構成される保冷容器内に冷凍商品を蓄冷剤と共に収容して、冷凍車以外の保冷車等を用いて各店舗に配送することが記載されている。
【０００５】
【特許文献１】特開２００１−２８７７３８号公報
【特許文献２】特開２００５−２４７５８１号公報
【発明の開示】
【発明が解決しようとする課題】
【０００６】
特許文献２に記載のように、断熱性の高いまた蓄冷剤を入れた保冷容器を用いることにより、２時間程度は保冷容器内の温度管理が可能である。しかし、この配送方法は、真空断熱材を用いて構成される保冷容器の使用が前提となっており、この種の保冷容器は高コストであるとともに、冷凍商品用の容器としては強度的に十分でない。すなわち、冷凍商品は、冷凍が完全であれば硬いものであり、そのために、物流センターで冷凍商品を保冷容器内に投入したときなどに、保冷容器に破損が生じやすい。物流中にも振動等によって冷凍商品が激しく移動したときに、保冷容器に傷を付けやすい。また、蓄冷剤を使用することも、コスト高の一因となる。
【０００７】
そのようなことから、現在、冷凍商品の配送用コンテナには、特別な断熱手段を施さない非発泡樹脂製のコンテナを用いるのが主流となっており、そのために、前記したような配送形態をとらざるを得なくなっている。コンテナ内に蓄冷剤を収容するとしても、基本的に断熱性を備えない冷凍商品を収容したコンテナをそのままで店頭に１，２時間という長い時間放置することはできない。また、蓄冷剤を使用すること自体、コスト高の一因となる。
【０００８】
本発明は、上記のような事情に鑑みてなされたものであり、例えば冷凍商品の配送用コンテナとして断熱性を備えない非発泡樹脂製のコンテナを用いるような場合でも、店舗の店頭などにおいて、冷凍商品のような物品を収容した配送用コンテナを容易に包み込むことができ、かつ包み込んだ状態でコンテナ内の温度管理を十分に行うことのできる断熱性カバーを提供することを目的とする。また、その断熱性カバーを用いた冷凍商品のような物品の保管方法および配送方法を提供することを目的とする。
【課題を解決するための手段】
【０００９】
本発明による断熱性カバーは、物品を収容するための断熱性カバーであって、底面の後縁には背面が一体に繋がっており、底面と背面の左右の側縁には左右の側壁面が一体に繋がっており、背面の上縁には第１の上面が一体に繋がっており、底面の前縁には前面が一体に繋がっており、さらに、左右の側壁面の上縁には第２の上面がそれぞれ一体に繋がっており、上面側と前面側が開放自在なことを特徴とする。
【００１０】
上記断熱性カバーの材料である断熱シートは、包み込む物品に対して所要の温度管理を与えうる材料であれば任意であるが、高い断熱性能を備えること、取り扱いが容易なこと、繰り返しの使用に耐えることができることなどの理由から、発泡ポリエチレンのような厚さ数ｍｍの発泡樹脂シートあるいは発泡樹脂板をアルミ蒸着した非発泡樹脂シートで被覆した断熱シートは好ましい。他に、発泡ポリスチレンシートや発泡ポリプロピレンシートのようなものであってもよい。
【００１１】
本発明による断熱性カバーは、その構造上、上面側と前面側が開放自在であり、かつその全面が開放する。また、背面は底面に対して立ち上がり姿勢を維持することができ、左右の側壁面もやや外側に傾斜した状態で立ち上がり姿勢を維持することができるので、開いた状態で、断熱性カバーは底面を支持面として自立性を持つ。そのために、店舗等において、床などの上に開いた状態にある断熱性カバーの中に、断熱性カバーで包み込もうとする物品（例えば、冷凍商品を収容したコンテナなど）をその開放面から入れ込む作業がきわめて容易となる。
【００１２】
物品を入れ込んだ後、前面を立ち上げ、第１の上面を収容した物品の上に被せ、第２の上面を第１の上面の上に被せた状態として、全体をバンドなどで締め付けることにより、断熱性カバーは閉じた状態となる。その状態で、包み込んだ物品に対しては十分な温度管理がなされる。
【００１３】
本発明の断熱性カバーにおいて、好ましくは、背面と左右の側壁面には折り畳み代が形成され、そこを利用して背面と左右の側壁面を底面の上に折り畳むことができ、さらにその上に、前面、第１の上面、第２の上面が重畳できるようにされる。
【００１４】
この形態の断熱性カバーでは、物品を包み込まないとき（すなわち、断熱性カバーとしては使用しないとき）には、全体を断熱性カバーの底面内の領域で折り畳んだ姿勢とすることができ、保管スペースを縮小することができる。
【００１５】
本発明の断熱性カバーにおいて、さらに好ましくは、前記折り畳み代を利用して側壁面の前面側が外側に開きやすくなるようにされる。この形態の断熱性カバーでは、上面側と前面側を容易により大きく開くことができるので、物品の収容作業が一層容易となる。
【００１６】
本発明の断熱性カバーにおいて、好ましくは、左右の側壁面と前面とは離脱自在接合テープを介して一体化できるようになっており、前面と第１の上面も離脱自在接合テープを介して一体化できるようになっており、第１の上面と第２の上面も離脱自在接合テープを介して一体化できるようになっている。
【００１７】
この形態の断熱性カバーでは、物品を包み込んだ後に、前面を立ち上げてその姿勢を維持させる作業、第１の上面を収容した物品の上に被せてその姿勢を維持させる作業、第２の上面を第１の上面の上に被せてその姿勢を維持させる作業、最後に全体をバンドなどで締め付ける作業を、安定してかつ容易に行うことが可能となる。断熱性カバーを開いた状態とするには、手作業で離脱自在接合テープ同士の接合を解消すればよくその作業も容易である。また、再度、閉じた状態とすることもでき、断熱性カバーの繰り返し使用を容易化する。
【００１８】
本発明は、さらに、上記した断熱性カバーによって、物品を収容したコンテナを包み込むことを特徴とする物品の保管方法をも開示する。コンテナに収容される物品としては冷凍商品を例として挙げることができるが、これに限らない。この物品保管方法は、コンテナ内に収容した冷凍商品等の温度管理が必要な物品を１，２時間程度仮保管する方法としてきわめて好適である。コンテナを包み込む場合、そのコンテナの寸法と形状に合わせた寸法と形状に断熱性カバーの採寸が行われていることは好ましい。
【００１９】
本発明は、さらに、上記の断熱性カバーを利用した物品の配送方法も開示する。なすわち、物品を収容したコンテナを配送車により店舗に配送し、店舗において配送車からコンテナを取り出し、取り出したコンテナを上記のいずれかに記載の断熱性カバーで包み込んだ後、次の店舗に向けて配送車を移動することを特徴とする冷凍商品の配送方法である。
【００２０】
本発明の配送方法によれば、配送車の運転手は、運搬してきたコンテナ内の冷凍商品等の物品を店舗の冷凍庫等に移し変える作業を行う前に、次の配送先の店舗に向けて車を移動させることができるので、一店舗当たりで運転者が必要とする作業時間を短縮することができ、運転者による配送車の配送効率が向上する。一方、配送されたコンテナは本発明による断熱性カバーによって包み込まれた状態で仮保管されており、物品が冷凍商品等の場合でもその状態で１，２時間の温度管理は可能である。その間で店員に余裕ができたときに、コンテナ内の商品を店舗の例えば冷凍庫等に移し変えればよく、店員の作業効率も向上する。
【００２１】
上記の配送方法において、配送に用いるコンテナに特に制限はなく、従来用いられているコンテナをそのまま用いることができる。配送する物品が冷凍商品の場合、配送は冷凍車で行い、店舗では本発明による断熱性カバーによって包み込まれた状態で仮保管されるので、配送に用いるコンテナは断熱性を備えたコンテナである必要はない。安価でありかつ強い強度を有していることから、非発泡樹脂製コンテナは好ましく、特別の断熱加工が施されている必要はない。より好ましくは、特許文献１に記載されるような折り畳み可能なコンテナである。
【００２２】
店舗に持ち込まれたコンテナは、収容している物品の移し変えが終わった後、店舗の所要場所に保管され、帰りの搬送車によって回収されて物流センターに戻され、再使用に供される。
【００２３】
本発明の配送方法において、コンテナと前記断熱性シートの形状などは各店舗ごとに異なるものであってもよいが、配送効率を高めるために、冷凍商品が配送される店舗側が用意した統一した規格品を用いることもできる。
【発明の効果】
【００２４】
本発明による断熱性カバーを用いることにより、温度管理が必要とされる物品などを断熱性カバー内へ包み込む作業を容易化することができる。また、物品を収容した後に断熱性カバーを閉じた姿勢とすることもきわめて容易である。
【００２５】
本発明による断熱性カバーを用いた本発明による物品の保管方法および配送方法によれば、物品の保管効率および配送車による配送効率が向上し、物流システムの効率化が可能となる。
【発明を実施するための最良の形態】
【００２６】
以下、本発明を実施の形態に基づき説明する。図１はコンテナ（図１ａ）と本発明による断熱性カバーの一実施の形態（図１ｂ）を示している。図２〜図５は、開いた状態の断熱性カバーを閉じた状態とする手順を順に説明している。また、図６〜図１０は開いた状態の折り畳む手順を説明している。さらに、図１１は本発明による断熱性カバーを作るための断熱シートの一例を断面で示している。図１２と図１３は、本発明による断熱性カバーを用いて行われる冷凍商品の配送方法の一例を説明している。
【００２７】
断熱性カバーＰは、例えば、図１１に示すような積層構造である断熱シートＰａから作られている。断熱シートＰａは、最外層が厚さ１２μｍ程度のアルミ蒸着がなされたポリエチレンテレフタレートフィルムａであり、そこに、ポリエチレンのラミネート層ｂ１，ｂ２，ｂ３を介して、ポリエチレンクロスｃと２ｍｍ厚程度のポリエチレン発泡シートｄとがこの順で積層されている。この構成の断熱シートＰａは、断熱性に加えて、所要の柔軟性および強度を備えている。
【００２８】
断熱性カバーＰは、底面１０を有し、底面１０の後縁には背面１１が一体に繋がっている。さらに、底面１０と背面１１の左右の側縁には左右の側壁面１２，１３が一体に繋がっている。背面１１の上縁、すなわち背面１１が底面と接続する縁とは反対の縁には、断熱性カバーＰを閉じた状態としたときに蓋部分となる第１の上面１４が一体に繋がっている。底面１０の前縁、すなわち底面１０に背面１１が接続する縁とは反対の縁には、断熱性カバーＰを閉じた状態としたときに前側部分となる前面１５が一体に繋がっている。
【００２９】
左右の側壁面１２，１３の上縁には、やはり断熱性カバーＰを閉じた状態としたときに蓋部分となる第２の上面１６，１７がそれぞれ一体に繋がっており、さらに、前記前面１５の上縁、すなわち前面１５が底面１０に接続する縁とは反対の縁には、上面接合片１８が一体に繋がっている。この上面接合片１８は前面１５を立ち上がった姿勢としたときに、上面側の一部を覆う方向に折り曲げられる。なお、上面接合片１８は省略することもできる。
【００３０】
左右の側壁面１２，１３の前面側の側縁、すなわち左右の側壁面１２，１３が背面１１と接続する縁とは反対側の側縁には、前面接合片１９，２０が一体に繋がっている。この前面接合片１９，２０は、断熱性カバーＰを閉じた状態とするときに、前面側の一部を覆う方向に折り曲げられる。なお、前面接合片１９，２０は省略することもできる。
【００３１】
上記の構造である断熱性カバーＰは、図１ｂに示すように開いた状態にあるときに、上面側と前面側とはその全面が開放した状態となり、かつ、背面１１は底面１０に対して立ち上がった姿勢を維持することができ、左右の側壁面１２，１３もやや外側に傾斜した状態で立ち上がった姿勢を維持することができる。すなわち、断熱性カバーＰは開いた状態でも底面１０を支持面として自立性を保っている。
【００３２】
この例の断熱性カバーＰにおいて、前記前面接合片１９，２０には、面ファスナーからなる離脱自在接合テープ２１，２２が取り付けてあり、前面１５の左右の側縁にも離脱自在接合テープ２３，２４が取り付けてある。従って、前面１５を立ち上がった姿勢とすると、離脱自在接合テープ２３，２４は前記前面接合片１９，２０に取り付けた離脱自在接合テープ２１，２２と係合した状態となり、左右の側壁面１２，１３と前面１５とは分離できる状態で一体化する。
【００３３】
前記上面接合片１８の図１ｂで裏面にも離脱自在接合テープ２５が取り付けられ（図３参照）、第１の上面１４の先端縁にも離脱自在接合テープ２６が取り付けられ、第２の上面１６，１７の先端縁にも離脱自在接合テープ２７，２８が取り付けられている。さらに、第１の上面１４の図１ｂで裏面に２本の離脱自在接合テープ２９，３０が取り付けられている（図４も参照）。
【００３４】
コンテナＣは、図１ａに示すように、断熱性カバーＰ内にほぼ隙間なく収容される寸法と形状のものであり、好ましくは、非発泡ポリスチレンのような非発泡樹脂で作られる。図示のものでは蓋を備えないが、蓋を備えていてもよい。図示しないが、コンテナとして使用しないときには折り畳みできる構造のものは特に好ましい。
【００３５】
コンテナＣに、例えば冷凍商品（不図示）を入れたものを、図１ｂに示した断熱性カバーＰによって包み込み保管する方法を説明する。図２は開いた状態にある断熱性カバーＰにコンテナＣを入れた状態を示す。前記したように、開いた状態にある断熱性カバーＰは上面と前面が大きく開放しており、かつ自立しているので、コンテナＣの入れ込みは容易である。最初に、前面１５を立ち上げる。前記したように、側壁１２，１３に取り付けた離脱自在接合テープ２１，２２と前面１５に取り付けた離脱自在接合テープ２３，２４とが係合することにより、前面１５は立ち上がった姿勢で維持される。その後、図３に示すように、前記上面接合片１８を内側に折り曲げておく。
【００３６】
次ぎに、図４に示すように、第１の上面１４を内側に折り曲げてコンテナＣの上に被せる。その姿勢で第１の上面１４に取り付けた離脱自在接合テープ２６と上面接合片１８に取り付けた離脱自在接合テープ２５とが係合し、第１の上面１４はコンテナＣの上面を覆った姿勢で維持される。
【００３７】
次ぎに、図５に示すように、第２の上面１６，１７を第１の上面１４の上に折り重ねる。その状態では、第２の上面１６，１７に取り付けた離脱自在接合テープ２７，２８が第１の上面１４に取り付けた離脱自在接合テープ２９，３０とそれぞれ係合するので、第２の上面１６，１７は第１の上面１４の上に安定した状態で維持される。必要に応じて、全体をベルトなどで全体を締め付けることにより、断熱性カバーＰの閉じた状態をさらに安定化させることができると共に、ベルト等を運搬補助具として利用することもできる。
【００３８】
このようにして、断熱性カバーＰを閉じた状態とすることにより、断熱性カバーＰの内部は外気とは隔離された状態となる。断熱性カバーＰ自体が断熱性シートで作られていることと相まって、内部に包み込まれたコンテナＣからの放熱をほぼ完全に阻止することができ、コンテナＣ内の温度管理は十全なものとなる。
【００３９】
コンテナＣを取り出すときには、前記と逆の手順を取ることにより、図２に示した状態とすることができる。コンテナＣを取り出した後、断熱性カバーＰは折り畳みを行う。折り畳み方は任意であるが、図示のものでは、折り畳みを容易にするために、ミシンによる縫い込み線のような折り畳み代が所要箇所に設けている。すなわち、図１ｂに示すように、背面１１，左右の側壁面１２，１３、および前面１５の上下方向のほぼ中央位置に上縁に平行に走る第１の折り畳み代３１を設け、さらに左右の側壁面１２，１３には各偶部から第１の折り畳み代３１に向けて斜行する第２の折り畳み代３２を設けている。
【００４０】
図６〜図１０は図１ｂに示した断熱性カバーＰを折り畳むときの順序を示している。図６に示すように、図１ｂの姿勢のものを上から押すことにより、背面１１と左右の側壁面１２，１３は内側に二つ折りされた状態で入り込んでいき、最後には、図７に示すように、底面１０の上に背面１１と左右の側壁面１２，１３とが二つ折りされた状態で乗った姿勢となる。その上に、前面１５と上面接合片１８を内側に折り畳んで重畳させ（図８）、その上に第１の上面を内側に折り畳んで重畳させ（図９）、その上に、第２の上面１６，１７を内側に折り畳んで重畳させる（図１０）ことにより、折り畳みは終了する。
【００４１】
次ぎに、上記の断熱性カバーＰの一つの使用態様として、冷凍商品を複数の店舗に配送するときの方法を説明する。
【００４２】
図１２において、Ｓは物流センターであり、多品種の冷凍商品ｉ−１・・ｉ−ｎが冷凍庫内に保管されている。そこで、複数の店舗Ａ，Ｂ・・Ｎに配送すべき冷凍商品のアイテムが各店舗ごとに選択され、個々のコンテナａ，ｂ・・ｎに仕分けして収容される。コンテナａ，ｂ・・ｎは配送先である店舗Ａ，Ｂ・・Ｎがある区域を巡回する冷凍車１に入れられる（図１２ａ）。
【００４３】
冷凍車１の運転者は車を運転し、最初の店舗Ａに到着する。そこで、運転者は店舗Ａに配送すべき冷凍商品を収容したコンテナａを車から降ろす（図１２ｂ）。そして、店舗Ａの店員にコンテナの到着を告げる。店員の了解が得られれば、運転者は直ちに冷凍車１に乗り込み、次の店舗Ｂに向けて車を移動する。店舗によっては、店員が店舗に備え付けの上記した本発明による断熱性カバーＰを用いて配送されたコンテナを包み込む作業を運転者に依頼することかある。その場合には、その作業を終えた後、次の店舗Ｂに向けて車を移動する。いずれの場合も、運転者が店舗Ａに滞在する時間はごく短時間であり、次の店舗Ｂに向けて速やかに移動することができる。以下、店舗Ｂで同じ作業を行い（図１２ｃ）、さらに、店舗Ｃで同じ作業を行い（図１２ｄ）、以下、店舗Ｎまで、同じ作業を繰り返す（図１２ｅ）。
【００４４】
図１３は、一つの店舗（ここでは、店舗Ａ）での作業手順を示す。店舗Ａでは、店舗Ａに備えてある前記した断熱性カバーＰを開いた状態とし、前記のようにして配送されたコンテナａをその中に入れ込み、断熱性カバーＰを閉じた状態とする（図１３ａ）。このコンテナａの断熱性カバーＰによる包み込み作業はきわめて容易でありかつ短時間で行うことができる。
【００４５】
閉じた状態の断熱性カバーＰは、その状態で店員に余裕時間ができるまで店舗Ａの適所に仮保管される（図１３ｂ）。店員は客に対するサービスを要しないときに、断熱性カバーＰを開いた状態とし、コンテナａを取り出して（図１３ｃ）、コンテナ内の冷凍商品ｉを店舗に備え付けの陳列冷凍庫３内に移し変える（図１３ｄ）。移し変え後、コンテナａと断熱性カバーＰを分離し、必要な場合には、コンテナａおよび断熱性カバーＰを折り畳んだ姿勢として所定の場所に再度保管する（図１３ｅ）。
【００４６】
図１２に戻り、冷凍車１はすべての店舗Ａ，Ｂ・・Ｎへの配送を終えた後、再度、各店舗Ａ，Ｂ・・Ｎを巡回して、空になっているコンテナａ，ｂ・・ｎを回収しながら、物流センターＳに戻る。それにより、一回の配送作業は終了する。図１３ｅは、店舗Ａで空になったコンテナａを冷凍車１が回収する状態を示している。
【００４７】
上記のように、この配送方法に従えば、各店舗での運転者の滞在時間は短縮し、かつ店員の手が空いたときにコンテナ内の冷凍商品を当該店舗の冷蔵庫に移し変えることができるので、店員の作業効率も向上する。特に、コンテナａ，ｂ・・ｎおよび各店舗に備え付ける断熱性カバーＰを、店舗側が用意する統一した規格品とすることにより、作業効率は一層向上する。
【図面の簡単な説明】
【００４８】
【図１】コンテナ（図１ａ）と本発明による断熱性カバーの一実施の形態（図１ｂ）を示している。
【図２】開いた状態の断熱性カバーにコンテナを収容した図。
【図３】図２の状態から断熱性カバーを閉じた状態とする手順を示す図。
【図４】図３の次の手順を示す図。
【図５】図４の次の手順を示す図。
【図６】断熱性カバーを折り畳むときの手順を示す第１の図。
【図７】図６の次の手順を示す図。
【図８】図７の次の手順を示す図。
【図９】図８の次の手順を示す図。
【図１０】図９の次の手順を示す図。
【図１１】断熱性カバーの材料である断熱シートの一例を示す断面図。
【図１２】本発明による断熱性カバーを用いて行われる冷凍商品の配送方法の一例を説明する図。
【図１３】本発明による断熱性カバーを用いて行われる冷凍商品の配送方法において、店舗での作業手順を説明する図。
【符号の説明】
【００４９】
Ｐ…断熱性カバー、Ｐａ…断熱シート、Ｃ…コンテナ、１０…底面、１１…背面、１２，１３…左右の側壁面、１４…第１の上面、１５…前面、１６，１７…第２の上面、１８…上面接合片、１９，２０…前面接合片、２１〜３０…離脱自在接合テープ、３１、３２…折り畳み代、Ｓ…物流センター、ｉ…冷凍商品、１…冷凍車、３…陳列冷凍庫
【図１】
2007210618.tif 000003
【図２】
2007210618.tif 000004
【図３】
2007210618.tif 000005
【図４】
2007210618.tif 000006
【図５】
2007210618.tif 000007
【図６】
2007210618.tif 000008
【図７】
2007210618.tif 000009
【図８】
2007210618.tif 000010
【図９】
2007210618.tif 000011
【図１０】
2007210618.tif 000012
【図１１】
2007210618.tif 000013
【図１２】
2007210618.tif 000014
【図１３】
2007210618.tif 000015